(57)【特許請求の範囲】
【請求項１】
前面にモニタを保持する回転ガイドプレートと、
前記回転ガイドプレートの背面に設けられ、前面に前記回転ガイドプレートを回転可能に支持する保持プレートと、
前記保持プレートの背面に設けられ、前面に前記保持プレートをスライド可能に支持するスライドガイドプレートと、
前記スライドガイドプレートが固定されたベースとを備え、
前記ベースは、前記保持プレートのスライド方向と垂直で前記回転ガイドプレートの面内方向に平行な案内路を有し、
前記回転ガイドプレートは、前記モニタが縦向き及び横向きの際の双方で前記案内路側に位置する隅部に、回転時に前記案内路に沿って移動する被案内部材を有することを特徴とするモニタ回転機構。
【請求項２】
前記回転ガイドプレートにて、前記保持プレート側に凸のピンと、
前記ベースで前記案内路と平行に設けられたスリットの周縁部に、接触して移動するスライダと、
前記スリットに挿入されて、一端が前記ピンに、他端が前記スライダに取り付けられた引きばねとを備え、
前記モニタが縦向き及び横向きの際、前記案内路と平行な方向における位置が、
前記一端は、前記他端から見て前記被案内部材側に、前記他端は、前記一端から見て前記回転ガイドプレートの回転中心側にあることを特徴とする請求項１記載のモニタ回転機構。
【請求項３】
前記保持プレートに固定されたモータを備え、
前記回転ガイドプレートは、前記モータの駆動により回転することを特徴とする請求項１または請求項２記載のモニタ回転機構。
【請求項４】
前記モータは、前記モニタと同一の画像を表示する画像表示端末での画像の向きに応じて回転することを特徴とする請求項３記載のモニタ回転機構。
【請求項５】
ユーザの動作を検知するセンサを備え、
前記モータは、前記センサが検知した動作に応じて回転することを特徴とする請求項３または請求項４記載のモニタ回転機構。
【請求項６】
前記保持プレートは、前記スライドガイドプレート側に凸のピンを有し、
前記スライドガイドプレートは、前記スライド方向に沿ったスライド孔を有し、
前記保持プレートが有するピンは、前記スライド孔を貫通する小径部と、前記スライド孔の周縁部に接触する大径部と、前記大径部を当該周縁部に押し当てるばねとを有することを特徴とする請求項１から請求項５のうちのいずれか１項記載のモニタ回転機構。
【請求項７】
前記ベースは、前記案内路に対向して、前記案内路との間で前記被案内部材を移動させる規制壁を有することを特徴とする請求項１から請求項６のうちのいずれか１項記載のモニタ回転機構。
【請求項８】
前記回転ガイドプレートは、前記被案内部材が設けられた隅部と隣接する隅部に、前記モニタが縦向き又は横向きの状態で前記ベースに接触するストッパを有することを特徴とする請求項１から請求項７のうちのいずれか１項記載のモニタ回転機構。
【請求項９】
前記保持プレートは、貫通孔を形成して前記回転ガイドプレート側に凸のボスを有し、
前記回転ガイドプレートは、前記ボスに挿入され、貫通孔を形成して前記保持プレート側に凸の中空シャフトを有し、
前記スライドガイドプレートは、貫通孔を有することを特徴とする請求項１から請求項８のうちのいずれか１項記載のモニタ回転機構。
【請求項１０】
前記モニタを備えることを特徴とする請求項１から請求項９のうちのいずれか１項記載のモニタ回転機構。
【請求項１１】
請求項１から請求項９のうちのいずれか１項記載のモニタ回転機構を搭載したことを特徴とするモニタ。
【発明の詳細な説明】
【技術分野】
【０００１】
この発明は、モニタの向きを変えられるようにモニタを支持するモニタ回転機構に関するものである。
【背景技術】
【０００２】
従来より、モニタの向きを縦向きと横向きとで変えられるよう、モニタを回転可能に支持するモニタ回転機構が知られている。このようなモニタ回転機構において、モニタの向きを変える際のモニタの回転軸が固定されていると、横向きから縦向きへ変わる際に、モニタの下端は、円弧を描きながら下がっていく。従って、モニタの回転を妨げないためには、モニタが横向きの状態で、モニタ下部に他部材との隙間を十分に設ける必要がある。しかしながら、そうした隙間は、デザイン性を損ねる一因となっていた。
そこで、例えば特許文献１のように、モニタの最下位置が基準ラインに位置する状態から、回動中のモニタの最下位置が基準ラインから下方に突出しない高さまでモニタを基準ラインより一旦持ち上げた状態で回動させ、モニタの最下位置を基準ラインまで降ろして基準ラインに位置させて停止させることが考えられる。
【先行技術文献】
【特許文献】
【０００３】
【特許文献１】特開平９―６６７７４号公報
【発明の概要】
【発明が解決しようとする課題】
【０００４】
上記特許文献１に記載されたモニタの回動機構では、モニタを保持するローテーションパネルは、固定されたベースパネルの下部に形成された略弧状の案内路と、ベースパネルの上部に形成された二本の副案内路とにより、回転動作時の上下動を実現している。この回動機構を電動で動かす場合は、ベースパネルに対するローテーションパネルの相対的な軌跡に沿った力を直接的にローテーションパネルへ与える必要があるが、当該軌跡は複雑なものであり、当該軌跡に沿った力を発生させる機構の設計は難しい。従って、特許文献１のモニタの回動機構は、電動で動かすことが難しいものであった。実際、特許文献１では、手でモニタを動かすことを想定している。
【０００５】
この発明は、上記のような課題を解決するためになされたもので、回転時に下端位置が下がらないようなモニタの回転を、電動で行うことが容易に可能なモニタ回転機構を得ることを目的とする。
【課題を解決するための手段】
【０００６】
この発明に係るモニタ回転機構は、前面にモニタを保持する回転ガイドプレートと、回転ガイドプレートの背面に設けられ、前面に回転ガイドプレートを回転可能に支持する保持プレートと、保持プレートの背面に設けられ、前面に保持プレートをスライド可能に支持するスライドガイドプレートと、スライドガイドプレートが固定されたベースとを備え、ベースは、保持プレートのスライド方向と垂直で回転ガイドプレートの面内方向に平行な案内路を有し、回転ガイドプレートは、モニタが縦向き及び横向きの際の双方で案内路側に位置する隅部に、回転時に案内路に沿って移動する被案内部材を有することを特徴とするものである。
【発明の効果】
【０００７】
この発明によれば、モニタを保持する回転ガイドプレートは、保持プレートに回転可能に支持され、保持プレートは、スライドガイドプレートにスライド可能に支持される。そして、回転ガイドプレートを回転させると、回転ガイドプレートの被案内部材は、ベースの案内路に沿って移動する。従って、回転時に下端位置が下がらないようなモニタの回転を、電動で行うことが容易に可能な機構となる。
【図面の簡単な説明】
【０００８】
【図１】この発明の実施の形態１に係るモニタ回転機構１の斜視図である。
【図２】この発明の実施の形態１に係るモニタ回転機構１の斜視図である。
【図３】この発明の実施の形態１に係るモニタ回転機構１の分解斜視図である。
【図４】この発明の実施の形態１に係るモニタ回転機構１の分解斜視図である。
【図５】この発明の実施の形態１に係るモニタ回転機構１の断面図である。
【図６】この発明の実施の形態１に係るモニタ回転機構１の一部を拡大した断面図である。
【図７】モニタが横向きのときの、この発明の実施の形態１に係るモニタ回転機構１の正面図である。
【図８】図７の背面図である。
【図９】モニタの向きを変えているときの、この発明の実施の形態１に係るモニタ回転機構１の正面図である。
【図１０】図９の背面図である。
【図１１】モニタの向きを変えているときの、この発明の実施の形態１に係るモニタ回転機構１の正面図である。
【図１２】図１１の背面図である。
【図１３】モニタが縦向きのときの、この発明の実施の形態１に係るモニタ回転機構１の正面図である。
【図１４】図１３の背面図である。
【図１５】この発明の実施の形態１に係るモニタ回転機構１の変形例を示す断面図である。
【発明を実施するための形態】
【０００９】
実施の形態１．
図１及び図２に、この発明の実施の形態１に係るモニタ回転機構１の斜視図を示す。また、図３及び図４に、この発明の実施の形態１に係るモニタ回転機構１の分解斜視図を示す。
モニタ回転機構１は、略長方形のモニタ２と、前面にモニタ２を保持する回転ガイドプレート３と、回転ガイドプレート３を回転可能に支持する保持プレート４と、保持プレート４に固定された駆動部５と、保持プレート４をスライド可能に支持するスライドガイドプレート６と、スライドガイドプレート６が固定されるベース７とを有する。
図１及び図２では、保持プレート４及び駆動部５の周囲をカバー１ａで覆った状態で示している。
【００１０】
モニタ回転機構１において、前面はモニタ２が位置する側、背面はスライドガイドプレート６が位置する側である。
なお、モニタ２は、モニタ回転機構１に含めなくともよい。
【００１１】
略長方形の板状の回転ガイドプレート３は、中央部に中空シャフト３１、中空シャフト３１の周りに回転規制溝３２及びギア３３、下辺側の隅部にガイド軸３４、ガイドローラ３５及びばねフックピン３６、当該隅部と隣接する隅部にストッパ３７ａ，３７ｂ等を有している。
下辺側とは、ベース７により近い側を意味する。
【００１２】
中空シャフト３１は、保持プレート４側に凸の円筒部材であり、回転ガイドプレート３を貫通する貫通孔３１ａを形成している。中空シャフト３１は、その中心が、回転ガイドプレート３にモニタ２を取り付けた際、モニタ２の略重心位置と重なるような位置に形成される。
【００１３】
回転規制溝３２は、中空シャフト３１を中心とする円周上に形成された円弧状の開口である。
ギア３３は、中空シャフト３１を中心とする円周上に円弧状に形成されている。
ガイド軸３４は、保持プレート４側で、ガイドローラ３５を回転自在に支持している。
ばねフックピン３６は、保持プレート４側に凸のピンである。
ストッパ３７ａ，３７ｂは、保持プレート４側に凸の部材である。
【００１４】
板状の保持プレート４は、ボス４１、ボス４１の周りに回転ガイドピン４２、貫通孔４３、スライドガイドピン４４等を有する。
ボス４１は、回転ガイドプレート３側に凸の円筒部材であり、保持プレート４を貫通する貫通孔４１ａを形成している。
【００１５】
回転ガイドピン４２は、回転ガイドプレート３側に凸のピンであり、回転ガイドプレート３側の先端部は、小径部４２ａとなっている。
スライドガイドピン４４は、図３及び図４中のスライド方向Ｓに並ぶ一対のピンが２組設けられて成り、スライドガイドプレート６側に凸となっている。
保持プレート４は、スライド方向Ｓに沿ってスライドする。
【００１６】
駆動部５は、モータ５１、減速機５２等を有し、モータ５１が回転すると、増大された回転トルクが、減速機５２の最終ギア５２ａから出力される。
【００１７】
スライドガイドプレート６は、スライド孔６１、貫通孔６２を有する。また、下辺側で折り曲げられて、台座面６３を形成している。
スライド孔６１は、スライド方向Ｓに沿って伸びるスリット状の開口が２つ並べられて成る。
【００１８】
ベース７は、モニタ回転機構１の台座として機能し、窪んだ細長い案内路７１、スリット７２等を有する。
案内路７１及びスリット７２は、モニタ２と平行、つまり、スライド方向Ｓと垂直で回転ガイドプレート３の面内方向に平行な方向に沿って、形成されている。
【００１９】
図５は、モニタ回転機構１の断面図である。なお、図５では、図面の見易さを考慮し、ガイドローラ３５付近以外の構成については、適宜省略している。
図５に示すように、ガイドローラ３５は、案内路７１に置かれている。
ベース７の内部には、スリット７２に沿った方向に移動可能なスライダ８が置かれている。そして、スリット７２に挿入されて、ばねフックピン３６に一端が、スライダ８に他端が取り付けられた引きばね９が、伸長した状態で設けられている。引きばね９の働きで、スライダ８は、スリット７２の周縁部に接触した状態となっている。
【００２０】
次に、上記した各部材同士の関係性について説明する。
保持プレート４のボス４１には、回転ガイドプレート３の中空シャフト３１が回転自在に挿入され、その際、保持プレート４の回転ガイドピン４２の小径部４２ａが、回転ガイドプレート３の回転規制溝３２に挿入される。これにより、回転ガイドプレート３は、小径部４２ａが回転規制溝３２をスライド可能な範囲で、保持プレート４に対して回転可能な状態となる。
【００２１】
保持プレート４には、回転ガイドプレート３とは反対側に、駆動部５がねじ止め等で固定される。その際、最終ギア５２ａが保持プレート４の貫通孔４３を貫通して、回転ガイドプレート３側に突出する。この最終ギア５２ａは、回転ガイドプレート３のギア３３に噛み合う。
従って、モータ５１の駆動により最終ギア５２ａが回転すると、回転ガイドプレート３は、保持プレート４及び駆動部５に対して回転する。
【００２２】
保持プレート４は、スライドガイドピン４４の先端部がスライドガイドプレート６のスライド孔６１を貫通した状態で、スライドガイドプレート６に取り付けられる。
図６に、このときのスライドガイドピン４４付近の断面図を示す。
スライドガイドピン４４は、保持プレート４に一端が固定され、他端側でスライド孔６１を貫通する小径部４４ａと、小径部４４ａの外周に配置され、小径部４４ａに対して軸方向にスライド可能な大径部４４ｂとを有する。大径部４４ｂは、スライド孔６１の溝幅よりも幅広であり、スライド孔６１の周縁部に接触している。そして、大径部４４ｂの内部には、ばね４４ｃが設けられている。
【００２３】
スライドガイドプレート６から見て保持プレート４と反対側には、抜け止め部材１０が配置されている。抜け止め部材１０は、スライド孔６１の溝幅よりも幅広で、スライド孔６１の周縁部に接触した状態で、スライドガイドピン４４の小径部４４ａの他端とねじ１１によりねじ止めされる。このねじ止めにより、スライドガイドピン４４の大径部４４ｂは、保持プレート４側にスライドして、ばね４４ｃの反力により、スライド孔６１の周縁部に押し当てられた状態となっている。
【００２４】
抜け止め部材１０と大径部４４ｂとで、スライド孔６１の周縁部を適度の圧力で挟むことにより、スライドガイドピン４４は、安定してスライド孔６１をスライドし、よって、保持プレート４は、スライドガイドプレート６に対し安定してスライド方向Ｓにスライドする。保持プレート４とスライドガイドプレート６との間の保持力は、ばね４４ｃのばね力によって調節可能である。
スライドガイドプレート６は、台座面６３を用いて、ベース７にねじ止め等により固定される。
【００２５】
次に、モニタ２の向きを変える際の動作について、図７〜図１４を用いて説明する。図７〜図１４では、ベース７を適宜断面で示している。
図７は、モニタ回転機構１を搭載したモニタ２が横向きの状態を示している。また図８は、図７を正面図とした際の背面図である。このとき、モータ５１に電力が供給されると、モータ５１のシャフト軸が回転し、減速機５２により回転トルクが増大されて、最終ギア５２ａが回転する。最終ギア５２ａには、回転ガイドプレート３のギア３３が噛み合っている。また、回転ガイドプレート３は、保持プレート４に回転可能に取り付けられているので、最終ギア５２ａの回転により、中空シャフト３１及びボス４１を回転軸として図８中Ａ方向に回転を始めようとする。
【００２６】
このとき、図８に示すように、案内路７１に平行な方向Ｈにおいて、引きばね９の一端の位置Ｐ１は、引きばね９の他端の位置Ｐ２から見てガイドローラ３５の位置Ｐ３側にあり、また、引きばね９の他端の位置Ｐ２は、停止壁７２ａに接触して、引きばね９の一端の位置Ｐ１から見て回転ガイドプレート３の回転中心の位置Ｐ４側にある。方向Ｈにおける位置とは、すなわち、案内路７１側から見た場合の位置を示している。そして、引きばね９は、伸長して回転ガイドプレート３を図８中のＥ１方向に引っ張っている。このＥ１方向への引っ張りは、モータ５１による回転ガイドプレート３のＡ方向への回転をアシストする。
【００２７】
引きばね９にアシストされながら、モータ５１の回転により回転ガイドプレート３が図８の横向き状態から図中Ａ方向に回転を始めると、ガイドローラ３５が案内路７１に押し付けられながら回転して、案内路７１を移動し始める。ガイドローラ３５の位置は、ベース７側に下がらずに、常に案内路７１上に保たれるので、保持プレート４は、スライド孔６１に沿ってベース７から離れる方向（図８中のＣ方向）に移動し始める。
【００２８】
このように、モータ５１の回転力を原動力として、回転ガイドプレート３が保持プレート４に対して回転するとともに、保持プレート４がスライドガイドプレート６及びベース７に対してＣ方向にスライドし、モニタ２の向きが徐々に縦向きへと変化していく。このときの様子を、図９の正面図と図１０の背面図に示す。
【００２９】
回転ガイドプレート３の回転に伴い、ばねフックピン３６は図１０における左方向に移動し、スライド方向Ｓに平行にスライダ８と一直線に並んだ後は、一直線に並んだその状態を保って、ばねフックピン３６とスライダ８とが同期して図１０における左方向に移動する。このときも、引きばね９は、伸長状態にある。また、ガイドローラ３５の位置は、ベース７側に下がらずに、常に案内路７１上に保たれるので、モニタ２の下端位置が下がることはない。
【００３０】
ガイドローラ３５が、スライド方向Ｓに平行に、回転ガイドプレート３の回転軸である中空シャフト３１及びボス４１と一直線に並んだ後は、保持プレート４は、スライド孔６１に沿ってベース７に近づく方向（図１２中のＤ方向）に移動し始める。このときの様子を、図１１の正面図と図１２の背面図に示す。
【００３１】
その後も回転ガイドプレート３は保持プレート４に対して回転し、保持プレート４はスライドガイドプレート６及びベース７に対してＤ方向にスライドして、モニタ２の向きが徐々に縦向きへと変化していく。
その途中、ばねフックピン３６と一直線に並んだ状態を保ってスライドしていたスライダ８は、モニタ２が縦向きになる前に停止壁７２ｂに接触して図１２における左方向への移動が止められる。
【００３２】
その後も回転ガイドプレート３の回転及び保持プレート４のスライドは続き、回転ガイドプレート３に設けられたストッパ３７ａがベース７に接触することで、回転ガイドプレート３の回転が規制される。ストッパ３７ａは、モニタ２が縦向きの状態でベース７に接触するように設けられている。
ベース７には、物体の接触を検知する不図示のスイッチが、モニタ２の縦向き状態でのストッパ３７ａとの接触部位に設けられている。このスイッチによりストッパ３７ａが接触したこと、つまり、モニタ２が縦向きになったことを検知する。そして、このスイッチがモータ５１へ検知信号を出力することで、モータ５１への電力供給が停止される。
【００３３】
図１３は、モニタ２が縦向きの状態を示す正面図、図１４は、モニタ２が縦向きの状態を示す背面図である。
モニタ２が縦向きの状態では、図１４のように、案内路７１に平行な方向Ｈにおいて、引きばね９の一端の位置Ｐ５は、引きばね９の他端の位置Ｐ６から見てガイドローラ３５の位置Ｐ７側にあり、また、引きばね９の他端の位置Ｐ６は、引きばね９の一端の位置Ｐ５から見て回転ガイドプレート３の回転中心の位置Ｐ８側にある。そして、引きばね９は、伸長して回転ガイドプレート３を図１４中のＥ２方向に引っ張っている。
また、以上の動作説明から明らかなように、ガイドローラ３５は、回転ガイドプレート３の４つの隅部のうち、モニタ２が縦向き及び横向きの際の双方で案内路７１側に位置する隅部に、設けられている。
【００３４】
モニタ２の向きを図１３及び図１４に示す縦向きから、図７及び図８に示す横向きに変える際は、図７〜図１４を用いて説明した上記の場合とはモータ５１を逆回転させる。
これにより、回転ガイドプレート３が図１４中のＢ方向に回転するとともに、ガイドローラ３５が案内路７１に押し付けられて移動することで、保持プレート４がベース７から離れる方向にスライドする。
【００３５】
図１４の縦向きの状態において、引きばね９は、回転ガイドプレート３をＥ２方向に引っ張っている。このＥ２方向への引っ張りは、モータ５１による回転ガイドプレート３のＢ方向への回転をアシストする。
【００３６】
ガイドローラ３５が、スライド方向Ｓに平行に、回転ガイドプレート３の回転軸である中空シャフト３１及びボス４１と一直線に並んだ後は、保持プレート４は、ベース７に近づく方向にスライドし始める。一直線に並んだときのモニタ回転機構１の状態は、図１１及び図１２に示すものとなる。
【００３７】
その後、スライダ８は、モニタ２が横向きになる前に停止壁７２ａに接触して図１２における右方向への移動が止められる。このときのモニタ回転機構１の状態は、図９及び図１０に示すものとなる。
やがて、回転ガイドプレート３に設けられたストッパ３７ｂがベース７に接触することで、回転ガイドプレート３の回転が規制される。ストッパ３７ｂは、モニタ２が横向きの状態でベース７に接触するように設けられている。ストッパ３７ａの場合と同様に、不図示のスイッチによりストッパ３７ｂが接触したこと、つまり、モニタ２が横向きになったことを検知し、モータ５１への電力供給を停止する。このときのモニタ回転機構１の状態は、図７及び図８に示すものとなる。
【００３８】
このように、モニタ２を保持する回転ガイドプレート３は、保持プレート４に回転可能に支持され、保持プレート４はスライドガイドプレート６にスライド可能に支持される。そして、回転ガイドプレート３のガイドローラ３５は、常にベース７の案内路７１上を移動するので、回転時にモニタ２の下端位置が下がることはない。
そして、回転ガイドプレート３の回転及び保持プレート４のスライドの双方の動作が、モータ５１の回転によって実現可能である。つまり、スライドガイドプレート６及びベース７に対する回転ガイドプレート３の相対的な軌跡自体は複雑なものであるが、当該軌跡に沿った力を直接的に回転ガイドプレート３へ与える必要はなく、モータ５１の回転によってモニタ２を保持する回転ガイドプレート３は当該軌跡に沿って移動できる。モータ５１を単に回転させるだけでよいので、モニタ回転機構１は、電動でモニタ２の回転を容易に可能としたモニタ回転機構である。
【００３９】
なお、モニタ回転機構１は、駆動部５を設けずに、手動で動作させてもよい。例えば、最終ギア５２ａのようにギア３３に噛み合うギアを設け、当該ギアをレバーで手動で回すなどして、回転ガイドプレート３の回転及び保持プレート４のスライドを実現してもよい。または、回転ガイドプレート３の隅部等につまむことが可能な突起片等を設け、ユーザが当該突起片をつまんで回転ガイドプレート３を中空シャフト３１及びボス４１回りに回転させることで、回転ガイドプレート３の回転及び保持プレート４のスライドを実現してもよい。
駆動部５を省略した場合のモニタ回転機構１の機構に対しては、追加で回転ガイドプレート３を回転させるモータ５１を設けるだけで電動にすることができ、複雑な駆動機構を必要とするものではない。従って、駆動部５を省略した場合のモニタ回転機構１の機構は、回転時にモニタ２の下端位置が下がらないようなモニタ２の回転を、電動で行うことが容易に可能な機構であると言える。
【００４０】
また、引きばね９は、常に伸長した状態にあり、回転ガイドプレート３をベース７の方に引き寄せている。これにより、ガイドローラ３５と案内路７１とが良好に接触するので、モニタ回転機構１に振動が加わっても、ガイドローラ３５が案内路７１から浮くのを抑えるように働き、異音の発生を抑える。従って、モニタ回転機構１を、車載用に用いた場合でも、ラトル等の振動による異音の発生を抑えることができる。
【００４１】
さらに、引きばね９は、図８に示すモニタ２の横向き状態から縦向きにする際、及び、図１４に示すモニタ２の縦向き状態から横向きにする際、回転ガイドプレート３の回転をアシストするような力を、回転ガイドプレート３に加えている。
モニタ２が横向き又は縦向きで静止している状態から、向きを変えるために回転ガイドプレート３を回転させる瞬間は、必要トルクが最大となるが、引きばね９が回転をアシストするように働くことで、その分必要トルクは小さくなる。従って、モータ５１の高トルク化、減速機５２の大型化を抑えることができ、モニタ回転機構１の小型化が図れる。もちろん、設置スペース等に余裕がある場合等は、ばねフックピン３６とスライダ８と引きばね９とを省略して、大型ではあるが高トルクを得られる減速機を設けてもよい。
【００４２】
図１５は、ガイドローラ３５が移動する案内路７１付近の変形例を示す断面図である。図１５に示すベース７は、案内路７１にガイドローラ３５を介して対向して、案内路７１との間でガイドローラ３５を移動させる規制壁７３を有する。規制壁７３により、振動が加わった際にガイドローラ３５が案内路７１から飛び出すのを抑えることができる。
また、引きばね９は、回転ガイドプレート３ひいては保持プレート４を、ベース７側に引き寄せており、保持プレート４がスライドガイドプレート６に対してベース７側にスライドするとき、そのスライドをアシストする。このため、ばね４４ｃのばね力が強く、保持プレート４とスライドガイドプレート６との間の保持力が大きい場合は、引きばね９のばね力もその分強くする必要が生じる。そこで、規制壁７３を設けてガイドローラ３５の案内路７１からの浮きを制限することで、保持プレート４とスライドガイドプレート６との間の保持力が大きい場合でも、それに比例して引きばね９のばね力を強くする必要をなくすことができる。
【００４３】
また、モニタ２が、携帯電話、タブレットコンピュータ等の携帯型の画像表示端末から画像情報を取得し、当該画像表示端末と同一の画像を表示するものである場合、モニタ回転機構１は、画像表示端末と連動して、モニタ２の向きを変更するように構成されるとよい。例えば、近距離無線通信等で画像表示端末と通信可能にモニタ回転機構１を構成し、当該画像表示端末で表示中の画像の向きが縦向きであるか横向きであるかを画像表示端末から受信する。そして、モニタ回転機構１では、画像表示端末で表示中の画像の向きに応じてモータ５１を回転させて、モニタ２の向きを変える。
このようにすれば、モニタ２の向きの選択を、画像表示端末で行うことができる。モニタ２と画像表示端末が同期するので、モニタ２と画像表示端末の両方を見るユーザに、違和感を与えることもない。
【００４４】
また、モニタ回転機構１に、モーションセンサ等のユーザの動作を検知するセンサを備え、当該センサが検知した動作に応じてモータ５１を回転させて、モニタ２の向きを変えてもよい。例えば、ユーザは、モニタ２を時計回りに回転させたいとき、時計回りに指を動かして、センサに検知させる。このようにすると、ユーザは、指の動き等のジェスチャーで、モニタ２の向きを変えることができる。このような構成は、モニタ回転機構１が車載用のものである場合に、運転中のドライバにとって特に利便性がよい。
【００４５】
また、上記では、案内路７１に沿って移動する回転ガイドプレート３側の被案内部材として、ガイドローラ３５を設けた。しかしながら、回転しながら移動するローラではなく、案内路７１を単にスライドする回転軸の無い突起状の部材を、ガイドローラ３５の代わりに設けてもよい。またその際、当該部材を円柱状にしてもよいが、少なくとも案内路７１と接触する部分だけが曲面になっていれば問題ない。または、回転ガイドプレート３の角を、案内路７１に沿って移動する被案内部材として利用してもよい。
【００４６】
また、中空シャフト３１の位置は、モニタ２の略重心位置に限らず、回転ガイドプレート３上の任意の位置であってよい。例えば、図４で示した位置から図４における右方向、つまりガイドローラ３５に近づく方向に中空シャフト３１を移動させて設けてもよい。このようにすれば、モニタ２が回転する際の保持プレート４のスライド量を、抑えることができる。中空シャフト３１の位置を、モニタ２の略重心位置とした場合は、モニタ２を効率的に回転させることができる。
【００４７】
以上のように、この実施の形態１に係るモニタ回転機構１によれば、モニタ２を保持する回転ガイドプレート３は、保持プレート４に回転可能に支持され、保持プレート４はスライドガイドプレート６にスライド可能に支持される。そして、回転ガイドプレート３のガイドローラ３５は、常にベース７の案内路７１上を移動するので、回転時にモニタ２の下端位置が下がることはない。
また、回転ガイドプレート３の回転及び保持プレート４のスライドの双方の動作を実現するには、回転ガイドプレート３を回転させるモータ５１を設ければよく、設計は容易である。
従って、実施の形態１に係るモニタ回転機構１は、回転時にモニタ２の下端位置が下がらないようなモニタ２の回転を、電動で行うことが容易に可能な機構である。
【００４８】
また、回転ガイドプレート３にて、保持プレート４側に凸のばねフックピン３６と、ベース７で案内路７１と平行に設けられたスリット７２の周縁部に、接触して移動するスライダ８と、スリット７２に挿入されて、一端がばねフックピン３６に、他端がスライダ８に取り付けられた引きばね９とを備え、モニタ２が縦向き及び横向きの際、案内路７１と平行な方向Ｈにおける位置が、当該一端は、当該他端から見てガイドローラ３５側に、当該他端は、当該一端から見て回転ガイドプレート３の回転中心側にあることとした。このようにすると、ガイドローラ３５が案内路７１から浮くのを抑えて、異音の発生を抑えることができる。また、回転ガイドプレート３の回転をアシストするような力を回転ガイドプレート３に加えるので、モータ５１の高トルク化、減速機５２の大型化を抑えて、モニタ回転機構１の小型化が図れる。
【００４９】
また、保持プレート４に固定されたモータ５１を備え、回転ガイドプレート３は、モータ５１の駆動により回転することとした。モニタ回転機構１は、駆動部５を省略するなどして手動で動作させることも可能な機構ではあるが、モータ５１を設けて電動とすることで、操作ボタン等によるワンタッチでの操作等が可能となり、利便性がよくなる。
【００５０】
また、モータ５１は、モニタ２と同一の画像を表示する画像表示端末での画像の向きに応じて回転することとした。このようにすると、モニタ２の向きの選択を、画像表示端末で行うことができる。モニタ２と画像表示端末が同期するので、モニタ２と画像表示端末の両方を見るユーザに、違和感を与えることもない。
【００５１】
また、ユーザの動作を検知するセンサを備え、モータ５１は、当該センサが検知した動作に応じて回転することとした。このようにすると、ユーザは、指の動き等のジェスチャーで、モニタ２の向きを変えることができ、利便性がよい。
【００５２】
また、保持プレート４は、スライドガイドプレート６側に凸のスライドガイドピン４４を有し、スライドガイドプレート６は、スライド方向Ｓに沿ったスライド孔６１を有し、保持プレート４が有するスライドガイドピン４４は、スライド孔６１を貫通する小径部４４ａと、スライド孔６１の周縁部に接触する大径部４４ｂと、大径部４４ｂを当該周縁部に押し当てるばね４４ｃとを有することとした。このようにすると、保持プレート４は、スライドガイドプレート６に対し安定してスライド方向Ｓにスライドする。
【００５３】
また、ベース７は、案内路７１に対向して、案内路７１との間でガイドローラ３５を移動させる規制壁７３を有することとした。このようにすると、振動が加わった際にガイドローラ３５が案内路７１から飛び出すのを抑えることができる。また、保持プレート４とスライドガイドプレート６との間の保持力が大きい場合でも、それに比例して引きばね９のばね力を強くする必要をなくすことができる。
【００５４】
また、回転ガイドプレート３は、ガイドローラ３５が設けられた隅部と隣接する隅部に、モニタ２が縦向き又は横向きの状態でベース７に接触するストッパ３７ａ，３７ｂを有することとした。このようにすると、モニタ２の縦向き状態及び横向き状態が、ストッパ３７ａ，３７ｂにより正確に維持される。
【００５５】
また、保持プレート４は、貫通孔４１ａを形成して回転ガイドプレート３側に凸のボス４１を有し、回転ガイドプレート３は、ボス４１に挿入され、貫通孔３１ａを形成して保持プレート４側に凸の中空シャフト３１を有し、スライドガイドプレート６は、貫通孔６２を有することとした。このようにすると、貫通孔３１ａ，４１ａ，６２を使って、モニタ２用の電力線、制御線等を、モニタ２からスライドガイドプレート６の背面まで配線することができる。
【００５６】
なお、本願発明はその発明の範囲内において、実施の形態の任意の構成要素の変形、もしくは実施の形態の任意の構成要素の省略が可能である。
【符号の説明】
【００５７】
１  モニタ回転機構、１ａ  カバー、２  モニタ、３  回転ガイドプレート、４  保持プレート、５  駆動部、６  スライドガイドプレート、７  ベース、８  スライダ、９  引きばね、１０  抜け止め部材、１１  ねじ、３１  中空シャフト、３１ａ  貫通孔、３２  回転規制溝、３３  ギア、３４  ガイド軸、３５  ガイドローラ、３６  ばねフックピン、３７ａ，３７ｂ  ストッパ、４１  ボス、４１ａ  貫通孔、４２  回転ガイドピン、４２ａ  小径部、４３  貫通孔、４４  スライドガイドピン、４４ａ  小径部、４４ｂ  大径部、４４ｃ  ばね、５１  モータ、５２  減速機、５２ａ  最終ギア、６１  スライド孔、６２  貫通孔、６３  台座面、７１  案内路、７２  スリット、７２ａ，７２ｂ  停止壁、７３  規制壁。
【図１】
0006498138.tif 000002
【図２】
0006498138.tif 000003
【図３】
0006498138.tif 000004
【図４】
0006498138.tif 000005
【図５】
0006498138.tif 000006
【図６】
0006498138.tif 000007
【図７】
0006498138.tif 000008
【図８】
0006498138.tif 000009
【図９】
0006498138.tif 000010
【図１０】
0006498138.tif 000011
【図１１】
0006498138.tif 000012
【図１２】
0006498138.tif 000013
【図１３】
0006498138.tif 000014
【図１４】
0006498138.tif 000015
【図１５】
0006498138.tif 000016